(57)【要約】【課題】打出し角度が高く、かつスピン量が少なく、ギア効果が十分に発現し、飛距離を得ることができるゴルフクラブヘッド、ゴルフクラブおよびゴルフクラブセットを提供する。【解決手段】本発明のゴルフクラブヘッドは、ゴルフボールを打撃するフェース面を有し、このフェース面が所定のロフト角度に形成されているものであり、フェース面が所定のロフト角度になるように水平面に配置した際、ゴルフクラブヘッドの重心を通るフェース面に垂直な垂線がフェース面に交わる点から水平面に至る重心高さをＦＧＨ（ｍｍ）とし、さらに、重心を通りフェース面に直交する垂直な線が前記フェース面と交わる点と、重心との前記垂直な線における距離をＦＧＤ（ｍｍ）とするとき、ＦＧＨ−ＦＧＤ×０．１５２で表わされるパラメータＢが、Ｂ＜１７．０３である。【選択図】図１
2006223461.tif 000002
【特許請求の範囲】
【請求項１】
ゴルフボールを打撃するフェース面を有し、前記フェース面が所定のロフト角度に形成されているゴルフクラブヘッドであって、
前記フェース面が前記所定のロフト角度になるように水平面に配置した際、ゴルフクラブヘッドの重心を通る前記フェース面に垂直な垂線が前記フェース面に交わる点から前記水平面に至る重心高さをＦＧＨ（ｍｍ）とし、
さらに、前記重心を通り前記フェース面に直交する垂直な線が前記フェース面と交わる点と、前記重心との前記垂直な線における距離をＦＧＤ（ｍｍ）とするとき、
ＦＧＨ−ＦＧＤ×０．１５２で表わされるパラメータＢが、Ｂ＜１７．０３であることを特徴とするゴルフクラブヘッド。
【請求項２】
前記ロフト角度は、２０°以上である請求項１に記載のゴルフクラブヘッド。
【請求項３】
前記フェース面は、最大引張強度が６００ＭＰａ以上のアルミニウム合金により形成されている請求項１または２に記載のゴルフクラブヘッド。
【請求項４】
前記請求項１〜３のいずれか１項に記載のゴルフクラブヘッドを有することを特徴とするゴルフクラブ。
【請求項５】
複数本のゴルフクラブを備えるゴルフクラブセットであって、
前記請求項４に記載のゴルフクラブを有することを特徴とするゴルフクラブセット。
【発明の詳細な説明】
【技術分野】
【０００１】
本発明は、打出し角度が高く、かつスピン量が少なく、飛距離が得られるゴルフクラブヘッド、ゴルフクラブおよびゴルフクラブセットに関する。
【背景技術】
【０００２】
従来、ゴルフクラブヘッドにおいて、飛距離を得るために、ギア効果により打出し角度を高くし、さらにスピン量を低くすることが行われている。
このギア効果を高めるためには、ゴルフクラブヘッドの重心を低くするとともに、ゴルフクラブヘッドの重心位置をフェース面よりも内側にすること（以下、深重心ともいう）が有効であることが知られている。このため、ゴルフクラブヘッドにおいて、重心の高さおよび重心の位置を規定したゴルフクラブセットが開示されている（例えば、特許文献１、および特許文献２参照）。
【０００３】
特許文献１には、重心の深さおよび重心高さが番手の若い順から所定順序で、増加、減少または一定になるように整理されているゴルフクラブセットが開示されている。
【０００４】
また、特許文献２には、上下方向および左右方向の弾道安定性を向上させるために、重心の深さおよび重心高さの下限値を設定したゴルフクラブセットが開示されている。
【０００５】
【特許文献１】特公平２−２０２６３号公報
【特許文献２】特公平７−４４３７号公報
【発明の開示】
【発明が解決しようとする課題】
【０００６】
しかしながら、特許文献１および特許文献２に開示されたゴルフクラブセットのゴルフクラブでは、いずれも重心の深さおよび重心高さが十分ではなく、ギア効果を十分に発現させることができるものではない。
【０００７】
また、低重心化のために、ゴルフクラブヘッドの質量の多くをソール部の中央に集めた場合、ゴルフクラブヘッドのヒールおよびトウ側の質量がソール部の中央に比して小さくなり、ゴルフクラブヘッドの重心を通りソール面に垂直な直線を回転軸とする回転軸回りの慣性モーメント（以下、単に「慣性モーメント」ともいう）が小さくなる。
【０００８】
一方、重心の深さを大きくすると、ロフト角度の影響で重心の高さが高くなる。このため、従来のゴルフクラブヘッドでは、重心を低くし、かつ重心の深さを大きくして、慣性モーメントを所定の値に維持しつつ、ギア効果が十分に得られるものとすることができなかった。
【０００９】
本発明の目的は、前記従来技術の問題点を解決することにあり、打出し角度が高く、かつスピン量が少なく、ギア効果が十分に発現し、飛距離を得ることができるゴルフクラブヘッド、ゴルフクラブおよびゴルフクラブセットを提供することにある。
【課題を解決するための手段】
【００１０】
上記目的を達成するために、本発明の第１の態様は、ゴルフボールを打撃するフェース面を有し、前記フェース面が所定のロフト角度に形成されているゴルフクラブヘッドであって、前記フェース面が前記所定のロフト角度になるように水平面に配置した際、ゴルフクラブヘッドの重心を通る前記フェース面に垂直な垂線が前記フェース面に交わる点から前記水平面に至る重心高さをＦＧＨ（ｍｍ）とし、さらに、前記重心を通り前記フェース面に直交する垂直な線が前記フェース面と交わる点と、前記重心との前記垂直な線における距離をＦＧＤ（ｍｍ）とするとき、ＦＧＨ−ＦＧＤ×０．１５２で表わされるパラメータＢが、Ｂ＜１７．０３であることを特徴とするゴルフクラブヘッドを提供するものである。
【００１１】
本発明においては、前記ＦＧＨと前記ＦＧＤとが、ＦＧＨ−ＦＧＤ×０．１５２（＝Ｂ）＜１５．０３の関係を満たすことが好ましく、ＦＧＨ−ＦＧＤ×０．１５２（＝Ｂ）＜１３．０３の関係を満たすことがさらに好ましい。
【００１２】
また、本発明においては、前記ロフト角度は、２０°以上であることが好ましく、さらに好ましくは２５°以上である。
さらに、本発明においては、前記フェース面は、最大引張強度が６００ＭＰａ以上のアルミニウム合金により形成されていることが好ましい。
本発明においては、最大引張強度が６００ＭＰａ以上のアルミニウム合金とは、例えば、急冷凝固アルミニウム合金である。
【００１３】
また、本発明の第２の態様は、上記本発明の第１の態様のゴルフクラブヘッドを有することを特徴とするゴルフクラブを提供するものである。
【００１４】
また、本発明の第３の態様は、複数本のゴルフクラブを備えるゴルフクラブセットであって、上記本発明の第２の態様のゴルフクラブを有することを特徴とするゴルフクラブセットを提供するものである。
【発明の効果】
【００１５】
本発明の第１の態様のゴルフクラブヘッドおよび本発明の第２の態様のゴルフクラブによれば、フェース面を、形成されている所定のロフト角度になるように水平面に配置した際、ゴルフクラブヘッドの重心を通るフェース面に垂直な垂線がフェース面に交わる点から水平面に至る重心高さをＦＧＨ（ｍｍ）とし、ゴルフクラブヘッドの重心を通りフェース面に直交する垂直な線がフェース面と交わる点と重心との垂直な線における距離をＦＧＤ（ｍｍ）とするとき、パラメータＢ（＝ＦＧＨ−ＦＧＤ×０．１５２）を、Ｂ＜１７．０３とすることにより、打出し角度が高く、かつスピン量が少なく、ギア効果が十分に発現し、飛距離が得られるものとすることができる。
【００１６】
また、本発明の第３の態様のゴルフクラブセットによれば、打出し角度が高く、スピン量が少なく、ギア効果が十分に発現し、飛距離が得られるゴルフクラブを有するものとなる。
【発明を実施するための最良の形態】
【００１７】
以下に、添付の図面に示す好適実施形態に基づいて、本発明のゴルフクラブヘッド、ゴルフクラブおよびゴルフクラブセットを詳細に説明する。
【００１８】
従来、打出し角度を高く、スピン量を少なくするために、ゴルフクラブヘッドにおいては、深重心化および低重心化が図られている。しかしながら、低重心化のために、ゴルフクラブヘッドの質量の多くをソール部の中央に集めた場合、ゴルフクラブヘッドのヒールおよびトウ側の質量がソール部の中央に比して小さくなり、ゴルフクラブヘッドの重心を通りソール面に垂直な直線を回転軸とする回転軸回りの慣性モーメントが小さくなる。
一方、深重心化を図ると、ロフト角度の影響で重心の高さが高くなる。このため、慣性モーメントを所定の値に維持しつつ、十分なギア効果を発現させる程度に深重心化および低重心化を図ることができなかった。このように、ゴルフクラブヘッドにおいては、深重心化と低重心化とは相反するものであり、慣性モーメントが所定の値を有し、重心の深さが深く、かつ重心が低いゴルフクラブヘッドは従来存在しなかった。なお、十分なギア効果を得ることができるゴルフクラブヘッドは存在しなかった。
【００１９】
しかしながら、本発明者が鋭意検討した結果、比強度が高く、かつゴルフボールの打撃による衝撃に耐えうる強度を有する材質のものを用いてフェース部を作製し、ソール部には質量が大きい材質（高比重金属）を用いることにより、ゴルフクラブヘッドにおいて、ＦＧＨ−ＦＧＤ×０．１５２（＝Ｂ）で表わされるパラメータＢを、Ｂ＜１７．０３とすることができ、これにより、打出し角度が高く、かつスピン量が少なく、十分なギア効果が得られ、打球の飛距離が優れたゴルフクラブヘッドが得られることを見出した。すなわち、ゴルフクラブヘッドにおいて、パラメータＢを、Ｂ＜１７．０３とすることにより、飛距離が優れたゴルフクラブヘッドを得ることができる。本発明は、以上の知見に基づいてなされたものである。
【００２０】
図１（ａ）は、本発明の実施例に係るゴルフクラブヘッドを有するゴルフクラブを示す模式的斜視図であり、（ｂ）は、本発明の実施例のゴルフクラブヘッドの変形例を示す模式的正面図である。
図１（ａ）に示すように、ゴルフクラブ１０は、例えば、ゴルフクラブヘッド１２と、ソケット１４と、ゴルフクラブシャフト１６と、グリップ１８とを有するものである。
【００２１】
また、ゴルフクラブヘッド１２は、ゴルフクラブヘッド本体部１３（以下、本体部１３という）、およびソール部２２を有し、一般的にアイアンと呼ばれる種類のヘッドである。この本体部１３は、フェース部２０およびホーゼル部２４を有するものである。
【００２２】
本実施形態のゴルフクラブヘッド１２において、本体部１３にフェース部２０が設けられており、このフェース部２０は、その表面がゴルフボールを打撃するフェース面２０ａとなるものである。フェース面２０ａには、ヒールからトウ方向に伸びたスコアライン（図示せず）が複数平行に形成されている。
なお、本実施例においては、ロフト角度θは、２０°以上であることが好ましく、さらに好ましくは、２５°以上である。このロフト角度については、後に詳細に説明する。
【００２３】
ソール部２２は、フェース部２０に連続して下方に設けられるものである。本実施例においては、例えば、ソール部２２の中央部に切欠部が形成されており、この切欠部に重心調整用錘２８が設けられている。
この重心調整用錘２８は、重心位置、重心の深さおよび慣性モーメントを調整するために設けられるものである。重心調整用錘２８は、例えば、タングステンまたはタングステン合金などの密度が高い材質のものが用いられる。
【００２４】
なお、本実施例において、ソール部２２に重心調整用錘２８を固定する方法は、特に限定されるものではない。例えば、重心調整用錘２８の両端部にそれぞれ貫通孔を形成し、切欠部に、各貫通孔と整合する位置に雌ねじを形成して、ねじにより重心調整用錘２８を切欠部に固定する。
また、本実施例においては、図１（ｂ）に示すゴルフクラブヘッド１２ａのように、ソール部２２および重心調整用錘２８に、トウからヒール方向に向かう方向に貫通する貫通孔２２ａを形成する。そして、この貫通孔２２ａに両端に、例えば、雌ねじが形成された軸２９を挿通させて、ソール部２２の外側から雄ねじにより重心調整用錘２８をソール部２２に固定させる。このように、本実施例において、重心調整用錘２８をねじ止めして固定することにより、脱落を防止でき、耐久性を向上させることができる。なお、図１（ｂ）に示すゴルフクラブヘッド１２ａは、図１（ａ）に示すゴルフクラブヘッド１２と同様の構成であり、同一構成物には同一符号を付して、その詳細な説明は省略する。
【００２５】
さらに、重心調整用錘２８の固定方法は、ねじ止めに限定されるものではなく、例えば、図１（ｂ）に示す上述の貫通孔２２ａに軸２９を挿通し、軸２９の両端を貫通孔２２ａでかしめることにより重心調整用錘２８を固定してもよい。
また、ソール部２２の切欠部に重心調整用錘２８を焼き嵌めにより固定してもよい。また、ゴルフクラブ１０の使用時に、密度が高い重心調整用錘２８がソール部２２から脱落することを防止できれば、これ以外の固定方法も適宜用いることができる。
【００２６】
慣性モーメントは、具体的にはゴルフクラブヘッド１２に設定されている所定のロフト角度になるように水平面Ｈに配置したとき、ゴルフクラブヘッド１２の重心Ｇを通り、水平面Ｈに直交する鉛直線（図示せず）周りの慣性モーメントである。そして、重心調整用錘２８の調整により、ゴルフクラブヘッド１２は、例えば、慣性モーメントが１１００ｇ・ｃｍ２〜３１００ｇ・ｃｍ２に調整されている。
【００２７】
この慣性モーメントは、フェース面２０ａがトウ側またはヒール側に向きを変えて回転するときの慣性モーメントである。この慣性モーメントは、打球の方向安定性に影響を与えるものであり、大きい方が打撃時にゴルフクラブヘッド１２のフェース面２０ａがヒール側またはトウ側に回転しにくくなる。これにより、ゴルフクラブヘッド１２の重心Ｇを通り、水平面Ｈに直交する鉛直線を回転軸とするフェース面２０ａの回転が抑制され、ゴルフボールの飛弾方向のばらつきが小さくなる。このように、慣性モーメントを規定することにより、ゴルフボールの飛弾方向のばらつきを小さくできる。
【００２８】
ホーゼル部２４は、ゴルフクラブシャフト１６をゴルフクラブヘッド１２に固定するものであり、フェース部２０のヒール側に一体的に設けられている。このホーゼル部２４には、ゴルフクラブシャフト１６が挿入される開口部２６が設けられている。ゴルフクラブシャフト１６は、ゴルフクラブヘッド１２にソケット１４を介して固定される。
【００２９】
本実施例においては、例えば、ゴルフボールを打撃するフェース面２０ａを有するフェース部２０およびホーゼル部２４が一体的に本体部１３として、例えば、最大引張強度が６００ＭＰａ以上の高強度アルミニウム合金により形成されている。この高強度アルミニウム合金は、溶融した合金を急冷凝固させる急冷凝固法により得ることができる。具体的には、高強度アルミニウム合金は、主元素をＡｌとし、所定の添加元素を含む合金組成を有する溶融金属を急冷することにより、非晶質相、非晶質と微細結晶質の混合相あるいは微細結晶質相に調整することによって得ることができ、この高強度アルミニウム合金は、高強度と超塑性を有する。例えば、溶融金属をガスアトマイズ法によって急冷凝固粉末を作製し、この粉末を押し出し固化して、高強度アルミニウム合金の板材等の部材を製造することができる。この高強度アルミニウム合金としては、例えば、特許３２０５４９５号明細書において規定された組成を有する合金が挙げられる。また、日本軽金属株式会社製、ＭＥＳＯ−１０（Ａｌ−９．５Ｚｎ−３Ｍｇ−１．５Ｃｕ−０．０４Ａｇ）が挙げられる。
なお、フェース部２０およびホーゼル部２４を構成するものは、高強度アルミニウム合金に限定されるものではなく、比強度が高く、かつゴルフボールの打撃による衝撃に耐えうる強度を有するものであれば、特に限定されるものではない。
【００３０】
図１に示すように、ゴルフクラブ１０は、ゴルフクラブシャフト１６がソケット１４を介してゴルフクラブヘッド１２のホーゼル部２４に取り付けられている。また、ゴルフクラブシャフト１６は、ゴルフクラブヘッド１２が取り付けられる反対側にグリップ１８が取り付けられている。
【００３１】
また、後に詳細に説明するゴルフクラブヘッド１２の重心高さＦＧＨは、ゴルフクラブヘッド１２の重心Ｇを通りフェース面２０ａに直交する垂直な線Ｌがフェース面２０ａと交わる点ｇの水平面Ｈからの高さである。この重心高さＦＧＨが、例えば、１７．０ｍｍ〜１９．４ｍｍに調整される。
【００３２】
本実施例において、重心高さＦＧＨは、打出し角度およびスピン量に影響を与えるものである。重心高さＦＧＨが低い方が、ゴルフボールの下側を打撃することができる。このため、打出し角度を大きくすることができる。また、重心高さＦＧＨが低い方が、低スピン化できる。
【００３３】
さらに、後に詳細に説明するゴルフクラブヘッド１２の重心の深さＦＧＤは、ゴルフクラブヘッド１２の重心Ｇを通りフェース面２０ａに直交する垂直な線Ｌがフェース面２０ａと交わる点ｇと、重心Ｇとの垂直な線Ｌにおける距離である。この重心Ｇの深さＦＧＤが、例えば、０ｍｍ〜１６ｍｍに調整される。重心高さＦＧＨおよび重心の深さＦＧＤの調整は、重心調整用錘２８の質量および配置位置によりなされる。
この重心の深さＦＧＤは、スピン量に影響を与えるものであり、重心の深さＦＧＤが大きい方が、打撃時に、ロフト角度θが大きくなるようにフェース面２０ａが回転したときの打撃点の移動量が相対的に大きくなる。これにより、よりバックスピン量を減らし、スピン量を少なくすることができる。
本発明においては、重心高さＦＧＨを低くし、重心の深さＦＧＤを深くすることにより、打出し角度が高くなり、スピン量が少なくなり、十分なギア効果を得ることができる。
【００３４】
このような重心高さＦＧＨおよび重心の深さＦＧＤの調整は、フェース面２０ａを有する本体部１３が引張最大強度で６００ＭＰａ以上の高強度アルミニウム合金で構成されているため、従来、用いられていた７０７５アルミニウム合金に比べてフェース部の厚さを、例えば、２．５〜３．５ｍｍと薄くすることができる。このため、本体部１３の質量を軽減することができる。これにより、従来と同等の質量のゴルフクラブヘッドを作製する場合、タングステン合金等の高比重金属からなる重心調整用錘２８の質量を従来に比べて多くすることができる。したがって、重心調整用錘２８によって重心高さＦＧＨ、および重心の深さＦＧＤならびに慣性モーメントの調整量を多くすることができる。
【００３５】
このため、本実施例のゴルフクラブヘッド１２においては、ＦＧＨ−ＦＧＤ×０．１５２（＝Ｂ）で表わされるパラメータＢを、Ｂ＜１７．０３とすることができる。
本発明においては、パラメータＢの値を１７．０３未満（Ｂ＜１７．０３）とする。ことにより、従来では、重心高さＦＧＨおよび重心の深さＦＧＤが相反するため実現されていなかった打出し角度が高く、かつスピン量が少ないものとなり、ギア効果が十分に発現し、飛距離の向上を図ることができる。
【００３６】
一方、本発明においては、パラメータＢの値が１７．０３以上である場合、高打出し角度および低スピンを実現することができない。すなわち、ギア効果が十分に発現することがなく、飛距離を向上させることができない。従って、本発明においては、パラメータＢの値を１７．０３未満（Ｂ＜１７．０３）とする。なお、パラメータＢは、Ｂ＜１５．０３であることが好ましく、さらに好ましくは、Ｂ＜１３．０３である。
【００３７】
なお、本実施例においては、ＦＧＨは、１７．０ｍｍ〜１９．４ｍｍであることが好ましい。また、ＦＧＤは、０〜１６ｍｍであることが好ましい。
さらに、慣性モーメントを、例えば、１１００ｇ・ｃｍ２〜３１００ｇ・ｃｍ２とすることにより、ゴルフクラブヘッド１２のスイートエリアをある程度広く確保することが可能になり、ゴルフボールの打撃位置が重心点ｇからずれてもゴルフボールが飛ぶ方向を安定させることができる。
【００３８】
以下、重心高さＦＧＨの測定方法について詳細に説明する。
重心高さＦＧＨは、図２に示すように、重心Ｇを通るフェース面２０ａに垂直な垂線Ｌがフェース面２０ａと交わる点ｇを定め、フェース面２０ａがゴルフクラブヘッド１２に設定されている所定のロフト角度θになるように水平面Ｈに配置したとき、すなわち、ゴルフクラブ１０を水平面Ｈに通常のアドレスポジションに設置したときの水平面Ｈから点ｇに至る高さをいう。
【００３９】
ここで、ゴルフクラブ１０を通常のアドレスポジションに設置するとは、ゴルフクラブヘッド１２をライ角度通りに設置し、かつ、図３に示すようにゴルフクラブ１０のシャフト軸Ｓとリーディングエッジ１３ａとが互いに平行になるように設置することをいう。ライ角度通りに設置とは、図２において、ソール部２２のラウンドと水平面Ｈとのなす隙間がトウ側及びヒール側にて略等しくなる状態に設置することをいう。ソール部２２のラウンドが不明瞭な場合は、フェース面２０ａに描かれるスコアライン（図３参照）が水平面Ｈに平行になるように設置してもよい。ソール部２２のラウンドが不明瞭でかつスコアラインが直線状でない等により水平面Ｈとの平行が判別できない場合は、ライ角度は、ライ角度（度）＝（１００−クラブ長さ（インチ））にて設定される。例えば、４０インチのクラブ長さであれば、ライ角度は１００−４０＝６０°になる。
【００４０】
ここで、クラブ長さは、社団法人日本ゴルフ用品協会が定める測定法により測定される。測定器としては、株式会社鴨下精衡所製のクラブ・メジャーIIが挙げられる。即ち、ヒール側の端部とグリップエンドとの間の距離をクラブ長さとするのである。
アドレスポジションにおいて、リーディングエッジ１３ａの方向はフェース面２０ａが指す方向と直角な方向に設定される。
【００４１】
上述のようにフェース面２０ａの方向を特定し、通常のアドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００４２】
一方、上述した重心高さＦＧＨを規定する点ｇは、図４に示すような重心測定器４０によって求められる。重心測定器４０は、上部に重心測定対象物を支持する支持部４２を備え、この支持部４２が測定対象物を平衡に支持する測定対象物の位置を知ることができるものである。すなわち、重心の測定方法は、図５（ａ）に示すようにゴルフクラブヘッド１２を、支持部４２に載せ、手を放しても落ちない平衡な位置を探しだす。つまり、図５（ａ）に示すように、フェース面２０ａと支持部４２の接触部に点ｇを含んでいれば、ゴルフクラブヘッド２２を支持部４２に載せて手を放しても落ちないが、図５（ｂ）に示すように、フェース面２０ａと支持部４２の接触部に点ｇを含んでいなければ、ゴルフクラブヘッド１２は、支持部４２に載せて手を放すと落ちる。このことを利用して点ｇを求めるものである。
【００４３】
支持部４２は平面または３点以上で支持する形態であることが好ましい。また、支持部４２の面積は、１５ｍｍ２以下であることが好ましい。また、下限はゴルフクラブヘッドが支えられる限り特に限定されない。支持部４２の面積は、平面であれば平面部分の面積、３点以上で支持する形態であれば各点を結んだ図形の面積によって示される。支持部の面積を上記の範囲に設定することによって、より正確に点ｇを求めることができる。
【００４４】
支持部４２によって支持された平面は水平または概ね水平になることが好ましい。ここで、概ね水平とは、水平面に対する傾きが２°以内、好ましくは１°以内のことである。水平または概ね水平になっているか否かは、例えば、図６に示すように、支持部４２に平面板４４を載せて支持させ、平面板４４の上に水準器４６を置き、確認し、調整することができる。上記範囲内に設定することによって、より正確に点ｇを求めることが可能になる。
【００４５】
また、本発明でいうロフト角度θ（°）は、図２に示すように、シャフト軸Ｓとフェース面２０ａとの成す角度であり、図７に示されるようなロフト角度測定器５０により測定される。図７は、本実施例のゴルフクラブ１０をロフト角度測定器５０に取り付けた例を示し、図８は、図７中のゴルフクラブヘッド１２の周辺を拡大して示している。
【００４６】
ロフト角度θの測定は、ゴルフクラブ１０をロフト角度測定器５０に取り付けた状態において、ゴルフクラブ１０が基準面５２に対してライ角度通りに設置するようにライ角度調整部５３において取り付け角度が調整され、次いで、ロフト角度測定器５０に取り付けられたゴルフクラブ１０は、ソール部２２が基準面５２に接するように、かつ、フェース角度調整具５６の先端部５６ａにフェース面２０ａが密着するように、すなわち、フェース角が０°になるように、ゴルフクラブ１０がチャック部５８で固定される。
【００４７】
その後、図９に示すように、ゴルフクラブヘッド１２のフェース面２０ａの基準面５２に垂直に立てた分度器６０を用いてロフト角度θが測定される。フェース面２０ａが平面の場合、上記測定によってロフト角度θが得られる。
ロフト角度θの測定は、上述のように、ゴルフクラブによって測定する他、ゴルフクラブヘッド単体にシャフトピンを差し込んで測定することも可能である。ゴルフクラブヘッド単体で測定して得られるロフト角度θの数値は、上述のゴルフクラブによって測定して得られるロフト角度θと実質的に同じである。
【００４８】
このようなロフト角度θの測定器は、上述の寸法測定と同様に、市販されている公知のものであればよく、例えば、昇峰企業社製の高爾夫球頭測度台、ゴルフギャレーヂ社製のゴルフクラブアングル測定器、ゴルフスミス社製のゴルフクラブゲージ等の測定器が例示される。このような測定器は公知のものであれば良く、本発明において特に限定されるも
【００４９】
次に、重心の深さＦＧＤの測定方法について説明する。
本発明においては、重心の深さＦＧＤは、ゴルフクラブヘッド１２の重心Ｇを通りフェース面２０ａに直交する垂直な線Ｌがフェース面２０ａと交わる点ｇと重心Ｇとの垂直な線Ｌにおける距離をいう。
以下、図１０を参照して、重心の深さＦＧＤ（ｍｍ）の測定方法について説明する。
ここで、図１０は、ゴルフクラブヘッドの重心の深さを測定する測定装置を示す模式的斜視図である。
【００５０】
重心の深さＦＧＤ（ｍｍ）は、図１０に示す天秤計７０により測定される。この天秤計７０は、水平面Ｈに設けられた支点７２と、アーム７４と、治具７６と、おもり７８とを有する。天秤計７０においては、支点７２にアーム７４が載置され、アーム７４の支点７２の上面に治具７６が設けられている。また、アーム７４の端部には、おもり７８が載置される。このアーム７４は、支点７２により垂直方向に揺動可能である。
治具７６の端面７６ａにゴルフクラブヘッド１２のフェース面２０ａが固定される。この治具７６の端面７６ａは、ゴルフクラブヘッド１２の重心Ｇを通りフェース面２０ａに直交する垂直な線Ｌ（図２参照）がアーム７４の長手方向に平行となるようにロフト角度に応じた斜面に形成されている。
【００５１】
また、天秤計７０においては、アーム７４に治具７６を載置した状態では、アーム７４が水平状態となる。すなわち、釣り合っている状態となる。
治具７６に質量Ｗのゴルフクラブヘッド１２を固定し、アーム７４上に質量Ｗａのおもり７８を支点７２から距離ｒａ離れた位置に載置する。このとき、おもり７８の重心の位置は、ゴルフクラブヘッド１２の重心Ｇを通りフェース面２０ａに直交する垂直な線Ｌ（図２参照）上とする。そして、アーム７４が水平となる位置に、おもり７８の距離ｒａを変える。
【００５２】
図１０に示すように、おもり７８の距離ｒａ、および治具７６の支点７２からの端面７６ａまでの距離ｒ２は既知であり、ゴルフクラブヘッド１２の質量Ｗと、おもり７８との質量Ｗａも既知である。
支点７２を中心とした釣合いの式から、ゴルフクラブヘッド１２とおもり７８との関係は、Ｗ×ｒ１＝Ｗａ×ｒａである。これにより、ｒ１＝（Ｗａ×ｒａ）／Ｗである。
一方、図１０に示すように、重心の深さＦＧＤ（ｍｍ）はｒ１−ｒ２である。ここで、端面７６ａまでの距離ｒ２が既知であるから、重心の深さＦＧＤは、ＦＧＤ（ｍｍ）＝（Ｗａ×ｒａ）／Ｗ−ｒ２により求めることができる。
なお、本実施例においては、このような重心の深さの測定器としては、株式会社鴨下精衡所製の重心測定器が挙げられる。
【００５３】
本発明においては、以上のように、重心高さＦＧＨおよび重心の深さＦＧＤが測定される。
ここで、図１１は、縦軸に重心高さＦＧＨをとり、横軸に重心の深さＦＧＤをとって、本発明のパラメータＢの範囲を示すグラフである。
【００５４】
図１１に示すように、直線αは、パラメータＢ＝１７．０３の直線であり、直線βは、パラメータＢ＝１５．０３の直線であり、直線γは、パラメータＡ＝１３．０３の直線である。図１１において、領域Ｄｅは、本発明の範囲（Ｂ＜１７．０３）であり、領域Ｄｃは、本発明の範囲からはずれる領域である。また、領域ＤＧＤは、重心の深さＦＧＤの好ましい範囲（０〜１６ｍｍ）であり、領域ＤＧＨは、重心高さＦＧＨの好ましい範囲（１７．０ｍｍ〜１９．４ｍｍ）である。重心の深さＦＧＤおよび重心高さＦＧＨの好ましい範囲かつ、パラメータＢ＜１７．０３の領域Ｄｂが、本発明において最も好ましい範囲である。
【００５５】
このように、本発明のゴルフクラブヘッドおよびこのゴルフクラブヘッドを用いたゴルフクラブにおいては、パラメータＢ、Ｂ＜１７．０３とすることにより、打出し角度が高く、かつスピン量が少なくなり、打球の飛距離を向上させることができる。
【００５６】
次に、本実施例のゴルフクラブを少なくとも１本有するゴルフクラブセットについて説明する。
図１２は、本発明の実施例に係るゴルフクラブセットを示す模式図である。
図１２に示すように、ゴルフクラブセット１００は、例えば、３番アイアン（Ａ３）から９番アイアン（Ａ９）、及びピッチングウェッジ（ＡＰ）、アプローチウェッジ（ＡＡ）、サンドウェッジ（ＡＳ）までの各番手のアイアン（Ａ３〜ＡＳ）１０本によって構成される。アイアンのうち、少なくとも１本は、本実施例のゴルフクラブ１０に相当するものであり、本実施例のゴルフクラブ１０と同様の構成には、同一符号を付してその詳細な説明は省略する。
【００５７】
ここで、上述の３番アイアン等の「３番」は番手といい、番手とは、主にロフト角度の異なったゴルフクラブをロフト角度の順番に並べることのできるように、各ゴルフクラブに付与した数字（自然数）、文字、または記号等によって表されたロフト角度の順番に関する識別情報の内容であり、各番手のロフト角度は、一定、または概ね一定の間隔で当業者によって適宜設定されている。また、本発明において番手が大きいとは、ロフト角度が大きい番手を指す。
【００５８】
これらのアイアンＡ３〜ＡＳのロフト角度θ（°）は、例えば、Ａ３が２１°、Ａ４が２４°、Ａ５が２７°、Ａ６が３０°、Ａ７が３４°、Ａ８が３８°、Ａ９が４２°、ＡＰが４７°、ＡＡが５２°、ＡＳが５７°と番手が大きくなるにつれ、ロフト角度θ（°）が大きくなっている。そして、ロフト角度θが２０°以上４１°以下の番手は、Ａ３〜Ａ８の６本の番手となっている。なお、アイアンＡ３〜ＡＳのロフト角度は、Ａ３からＡ６までは３°の刻み幅で大きくなり、Ａ７からＡ９までは４°の刻み幅で大きくなり、ＡＰからＡＳまでは５°の刻み幅で大きくなっているが、アイアンＡ３〜ＡＳのロフト角度の刻み幅は、これに限定されず、３°または４°等の一定の刻み幅であってもよい。
また、グリップ１８の端部からゴルフクラブヘッド１２の下端までの長さ（クラブ長さ）は、番手が大きくなるにつれ次第に短くなっている。すなわち、番手が小さいものの方がゴルフクラブシャフト１６の長さが長い。
【００５９】
このようなゴルフクラブセット１００では、ロフト角度が２０°以上４１°以下の、Ａ３、Ａ４、Ａ５、Ａ６、Ａ７、Ａ８の各ゴルフクラブを番手の順番に並べて、Ａ３を番号１、Ａ４を番号２、Ａ５を番号３、Ａ６を番号４、Ａ７を番号５、Ａ８を番号６とする。
本実施例のゴルフクラブセット１００を構成する１０本のゴルフクラブのうち、少なくとも１本が、本実施例のゴルフクラブである。なお、ゴルフクラブのうち、ロフト角度が２０°以上であるものであることが好ましい。例えば、Ａ３よりも番手が大きいものであることが好ましい。この場合、ゴルフクラブのゴルフクラブヘッド１２は、パラメータＢがＢ＜１７．０３であることはもちろんである。
【００６０】
なお、本発明において規定されるゴルフクラブのロフト角度を２０°以上４１°以下とするのは、ロフト角度が２０°以上４１°以下のゴルフクラブは、ゴルフクラブセットにおいて特に、番手に応じて精度良く打ち分けることが要求されるからである。
ロフト角度が２０°未満のゴルフクラブはドライバー等のウッド系のゴルフクラブである。このようなゴルフクラブは、主にティーアップして打球することが目的のゴルフクラブであり、必ずしも地上からの重心高さを重視するような設計にする必要がない。また、ロフト角度が２０°未満のゴルフクラブは、ゴルフクラブの供給業者においても積極的に単品のゴルフクラブとして販売していることからわかるように、主にゴルフボールの飛距離を稼ぐことを目的とし、必ずしもゴルフクラブセットの中で番手によって精度良く打ち分けることが要求されるものではない。
【００６１】
一方、ロフト角度が４１°を超えるウェッジ等のゴルフクラブはゴルフクラブセットとして構成するよりも、むしろ単品のゴルフクラブとして購入されることが多く、アプローチショット等のコントロールショットに用いられ、バックスピン量が特殊な初期弾道特性を生み出す必要がある。このため、ロフト角度が４１°を超えるゴルフクラブは特殊な重心位置設計が必要となり、本発明におけるゴルフクラブセットから除外される。
【００６２】
本実施形態は、１０本のアイアンをゴルフクラブセットとしたものであるが、本発明のゴルフクラブセットには、アイアンゴルフクラブセットのみならず、ウッドゴルフクラブセット、ウッドゴルフクラブセットとアイアンゴルフクラブセットの境界を取り払ったようなゴルフクラブセット、ロングアイアンに相当するもののみのゴルフクラブセット、また、ウッドゴルフクラブとアイアンゴルフクラブの中間的性能を備えてどちらにも分類しがたいいわゆるユーティリティゴルフクラブを含めたゴルフクラブセット等、ロフト角度θ（°）が２０°〜４１°の範囲にあり、これらのロフト角度が異なる複数本のゴルフクラブによって構成されるものも含まれる。
【００６３】
以上、本発明のゴルフクラブヘッド、ゴルフクラブおよびゴルフクラブセットについて説明したが、本発明は上述の実施形態に限定はされず、本発明の要旨を逸脱しない範囲において、各種の改良または変更を行ってもよいのは、もちろんである。
【実施例】
【００６４】
以下、本発明のゴルフクラブの実施例について、本発明の範囲から外れる比較例と比較して具体的に説明する。
本実施例においては、下記表１に示す実施例１、実施例２および比較例１のゴルフクラブヘッドについて、打球の上がり易さ（打出し角度の高さ）および打球の方向性（方向安定性）を評価項目として、評価試験を行った。各項目の評価結果を下記表２に示す。
【００６５】
本実施例においては、各ゴルフクラブヘッドに全て同じゴルフクラブシャフトを取り付けてゴルフクラブを作製し、評価試験を行った。
また、本実施例の各試験は、特に断りがないかぎり、ゴルフボールには、横浜ゴム社製
ＴＲＸ（商品名）ボールを用いた。
【００６６】
【表１】
2006223461.tif 000003
【００６７】
【表２】
2006223461.tif 000004
【００６８】
上がり易さ（打出し角度の高さ）については、ヘッドスピードが３４ｍ／秒〜５０ｍ／秒の範囲のアマチュアゴルファとプロゴルファの合計１００人を対象として、実施例１、実施例２および比較例１のゴルフクラブヘッドを装着したゴルフクラブを用いて、各人が各１０球ずつ打撃して打球が上がったか否か、すなわち、打出し角度が高いか否かを判断した結果であり、相対的な評価である。評価項目の上がり易さは、○が打球が上がり易いことを示し、×が打球が上がりにくいことを示す。
【００６９】
方向性（方向安定性）は、上記と同様に各１０球ずつ試打して得られた、目標に対しどれぐらいばらついたかを示すものである。評価項目の方向性は、各人が各１０球ずつ打撃して打球がばらついたか否かを判断した結果であり、相対的な評価である。評価項目の方向性は、○が打球がばらつかないことを示し、△が打球がややばらつくことを示す。
【００７０】
上記表２に示すように、パラメータＢの値が本発明の範囲に入る実施例１および実施例２は、打球が上がり易く、さらには打球の方向性も優れたものであった。
一方、パラメータＢの値が本発明の範囲から外れた比較例１は、打球が上がりにくいものであり、さらに打球の方向性もやや悪いものであった。
【図面の簡単な説明】
【００７１】
【図１】（ａ）は、本発明の実施例に係るゴルフクラブヘッドを有するゴルフクラブを示す模式的斜視図であり、（ｂ）は、本発明の実施例のゴルフクラブヘッドの変形例を示す模式的正面図である。
【図２】本発明のゴルフクラブセットにおいて定められる重心高さおよび重心の深さを説明するための模式図である。
【図３】ゴルフクラブをアドレスポジションに設置する状態を説明するための模式図である。
【図４】本発明における重心高さを規定するために用いる重心測定器を示す模式図である。
【図５】（ａ）および（ｂ）は、図２中の点ｇを見出すときの重心測定器を用いた測定方法を説明するための模式図である。
【図６】重心測定器を用いる時の測定方法の一部を説明する説明図である。
【図７】ロフト角度測定器を用いたゴルフクラブのロフト角度の測定を説明する説明図である。
【図８】図７に示す説明図の部分拡大図である。
【図９】図７に示すロフト角度測定器を用いたゴルフクラブのロフト角度の測定を説明する説明図である。
【図１０】重心の深さを測定する測定装置を示す模式図である。
【図１１】縦軸に重心高さＦＧＨをとり、横軸に重心の深さＦＧＤをとって、本発明のパラメータＢの範囲を示すグラフである。
【図１２】本発明の実施例に係るゴルフクラブセットを示す模式図である。
【符号の説明】
【００７２】
１０  ゴルフクラブ
１２  ゴルフクラブヘッド
１３  ゴルフクラブヘッド本体部（本体部）
１４  ソケット
１６  ゴルフクラブシャフト
１８  グリップ
２０  フェース部
２０ａ  フェース面
２２  ソール部
２４  ホーゼル部
２６  開口部
２８  重心調整用錘
７０  天秤計
７２  支点
７４  アーム
７６  治具
７８  おもり
１００  ゴルフクラブセット
Ｈ  水平面
【図１】
2006223461.tif 000005
【図２】
2006223461.tif 000006
【図３】
2006223461.tif 000007
【図４】
2006223461.tif 000008
【図５】
2006223461.tif 000009
【図６】
2006223461.tif 000010
【図７】
2006223461.tif 000011
【図８】
2006223461.tif 000012
【図９】
2006223461.tif 000013
【図１０】
2006223461.tif 000014
【図１１】
2006223461.tif 000015
【図１２】
2006223461.tif 000016